(57)【要約】【課題】暦と相関させた状態で紙面を保管することができるカレンダーを提供する。【解決手段】カレンダー１０は、１セット１２枚の矩形の台紙１２を上端部分で留め金具１４で綴じた冊子状のカレンダーである。台紙１２は矩形で縦長の形状であり、中央やや下寄りの位置で横方向に直線状のミシン目１６が入れられている。ミシン目１６の上の固定端側１２ａにはスケジュール表などを保管することができる収納部が透明シート２２の内側に設けられており、下の暦表示部２０には一箇月分の暦が印刷されている。台紙１２はミシン目１６の箇所で上下二つの領域に分割することができ、二分割した場合、固定端側１２ａはそのまま留め金具１４で綴じられた状態を維持し、自由端側１２ｂはカレンダー１０から離脱される。【選択図】図１
0003180026.tif 000002
【実用新案登録請求の範囲】
【請求項１】
複数の台紙を冊子状に綴じたカレンダーであって、
前記台紙は、端部が綴じられた固定端側と綴じられていない自由端側の二つの領域に分割するためのミシン目を備え、前記固定端側に透明シートで形成した収納部を備え、前記自由端側に暦が印刷された暦表示部を備える、
カレンダー。
【請求項２】
前記固定端側に広告を表示するための領域を備える、
請求項１に記載のカレンダー。
【請求項３】
前記複数の台紙を綴じるための留め金具を備え、
前記留め金具に設けられている突起部を前記台紙を捲ったときに前記台紙の裏側に通すための穴を前記台紙の固定端側に備える、
請求項１または２に記載のカレンダー。
【考案の詳細な説明】
【技術分野】
【０００１】
本考案は、紙面や写真等の保管機能を有するカレンダーに関する。
【背景技術】
【０００２】
写真等の保管機能を備えたカレンダーとしては、従来、カレンダーの上部に透明板を設け、透明板の裏側に写真等を挟み込む形態のものが知られている（特許文献１参照）。これ以外にも例えば特許文献２や特許文献３において他の形態のものが示されているが、何れの場合も写真の保管場所は暦の枚数に関係なく一箇所にしか設けられていない。
【先行技術文献】
【特許文献】
【０００３】
【特許文献１】実登第３１２３３０４号公報
【特許文献２】特開平９−３０１５３号公報
【特許文献３】特開平９−２７２２８０号公報
【考案の概要】
【考案が解決しようとする課題】
【０００４】
保管する対象物が写真のように趣味性の高いものであれば、暦との関係性はあまり問われないが、学校や勤務先のスケジュール表やシフト表など暦と密接な関係のある情報を含む紙面を保管する場合は、暦と紙面情報との相関が一目で分かるようにしておくことが実用上は大変に好ましい。
【０００５】
本考案は、暦と相関させた状態で紙面を保管することができるカレンダーを提供することを目的とする。
【課題を解決するための手段】
【０００６】
本考案は、複数の台紙を冊子状に綴じたカレンダーであって、前記台紙は、端部が綴じられた固定端側と綴じられていない自由端側の二つの領域に分割するためのミシン目を備え、前記固定端側に透明シートで形成した収納部を備え、前記自由端側に暦が印刷された暦表示部を備えるカレンダーである。
【０００７】
本考案においては、前記固定端側に広告を表示するための領域を備えることが好ましく、さらには、前記複数の台紙を綴じるための留め金具を備え、前記留め金具に設けられている突起部を前記台紙を捲ったときに前記台紙の裏側に通すための穴を前記台紙の固定端側に備えることが好ましい。
【考案の効果】
【０００８】
冊子状のカレンダーを構成する複数の台紙に収納部と暦表示部を設けることで、スケジュール表やシフト表は同じ時期の暦を表示する台紙に収納することができるので、実用的であるとともに整理もしやすい。収納部は透明シートで形成されているので、収納したままの状態で紙面の情報を確認することができる。カレンダーとしての用途を終えた後は暦表示部を切除すれば、収納部のみが綴じられた冊子として継続して使用することができるので、利便性が高く、また省資源にも資する。
【図面の簡単な説明】
【０００９】
【図１】カレンダーの構成図
【考案を実施するための形態】
【００１０】
図１において、カレンダー１０は、１セット１２枚の矩形の台紙１２を上端部分で留め金具１４で綴じた冊子状のカレンダーである。台紙１２は矩形で縦長の形状であり、中央やや下寄りの位置で横方向に一直線状のミシン目１６が入れられている。台紙１２はミシン目１６の箇所で上下二つの領域に分割することができ、二分割した場合、留め金具１４で綴じられた上の固定端側１２ａはそのまま留め金具１４で綴じられた状態を維持し、下の綴じられていない自由端側１２ｂはカレンダー１０から離脱される。
【００１１】
台紙１２の自由端側１２ｂには略全面にわたって暦表示部２０が設けられており、暦表示部２０には１ヵ月分の暦が印刷されている。カレンダー１０は１２枚の台紙１２を１セットにした１年分のカレンダーであり、各台紙１２の暦表示部２０にはそれぞれ１月から１２月までの暦が印刷されている。なお、カレンダー１０は、１枚の台紙に２ヶ月分の暦を印刷して１セットを６枚の構成とすることもできる。
【００１２】
台紙１２の固定端側１２ａには略全面にわたって矩形の透明シート２２が装着されている。透明シート２２は４辺のうち上辺を除く３辺が台紙１２に接着されている。透明シート２２と台紙１２の間に形成される空間は薄手のものを収納することができる収納部であり、接着されていない上辺部分から紙面等を出し入れすることができる。収納部には、例えば学校の行事表や勤務先のシフト表やスケジュール表など紙面で配布されるものをそのまま収納することができる。紙面に印刷された文字等の情報は透明シート２２を通して直に読み取ることができるので、印刷面を表側に向けて収納しておけば収納部から紙面を取り出す必要もないし、またスケジュール等を暦に書き写しておく必要もない。
【００１３】
収納部は好みのー写真やポスター等を収納して室内装飾として使用することもできる。またコンサートやイベントのチケット等を開催日の月のところに収納しておけば、開催日を暦に書き込む必要がなくなる上にチケット等の紛失や置き忘れを予防することができる。また振り込み用紙等を収納しておくことで支払い期限の途過を予防することもできる。
【００１４】
透明シート２２の右下部分には、カレンダー１０を顧客や取引先等に配布する会社や組織の名称や取扱い商品名等の広告が印刷された広告表示部２４が設けられている。
【００１５】
カレンダー１０はミシン目１６の部分で台紙１２を上下二つの部分に分断し、暦表示部２０が設けられた自由端側１２ｂを切除することができるので、カレンダーとしての役割を終えた後は固定端側１２ａの収納部のみを綴じた冊子として継続して使用することができる。広告表示部２４は固定端側１２ａに設けられているため、カレンダーとしての役割を終えた後も広告効果は持続する。
【００１６】
固定端側１２ａの上端寄りの位置には台紙１２の表裏に貫通する穴２６が設けられている。この穴２６を設けておくことで、台紙１２を捲ったときに留め金具１４の突起部２８が捲られた台紙１２の穴２６を通って台紙１２の外側に露出することができ、突起部２８に刺したピン等で壁に掛けておくことができる。
【符号の説明】
【００１７】
１０  カレンダー
１２  台紙
１４  留め金具
１６  ミシン目
２０  暦表示部
２２  透明シート
２４  広告表示部
２６  穴
２８  突起部
【図１】
0003180026.tif 000003